(57)【要約】【課題】ゴールド（金色）を発現する内照式広告表示装置及び内照式広告表示装置用表示プレートの製造方法を得る。【解決手段】内照式広告表示装置１０は、所望の宣伝文字、ロゴ、又はイラストの膨出部３を真空成形加工し、少なくとも膨出部３の裏面に銀による半透明ハーフミラー４を蒸着した黄色透明樹脂プレート手段１と、黄色半透明樹脂プレート手段５と、バックライト手段９と、これら黄色透明樹脂プレート手段１、黄色半透明樹脂プレート手段５、及びバックライト手段９を組み込むフレーム１２を有して前面を除いて遮光する遮光フレーム手段１３とを具える。黄色半透明樹脂プレート手段５は、乳白色半透明樹脂板の前面側に黄色透明フィルムを貼着するか、又は黄色半透明樹脂板により構成する。黄色透明樹脂プレート手段１の前面に、膨出部３を除いて遮光する有色塗装の非透明表面板８を設ける。【選択図】図２
2005189457.tif 000002
【特許請求の範囲】
【請求項１】
内照式広告表示装置において、
所望の宣伝文字、ロゴ、又はイラストの膨出部を真空成形加工した黄色透明樹脂プレートにより構成し、少なくとも膨出部裏面に銀による半透明ハーフミラーを蒸着した黄色透明樹脂プレート手段と、
前記黄色透明樹脂プレートの裏側に所望間隔を置いて配置する黄色半透明樹脂プレート手段と、
この黄色半透明樹脂プレート手段の裏側に配置するバックライト手段と、
これら黄色透明樹脂プレート手段、黄色半透明樹脂プレート手段、及びバックライト手段を組み込むフレームを有し、前面を除いて遮光する遮光フレーム手段とを具えたことを特徴とする内照式広告表示装置。
【請求項２】
前記黄色透明樹脂プレートと半透明ハーフミラー及び前記黄色透明フィルムと乳白色半透明樹脂プレートを貫通するボルトを後記する非透明表面板に突設し、前記半透明ハーフミラーと前記黄色透明フィルムとの間にボルトを締め付けるワッシャを介して、前記黄色透明樹脂プレートの裏側に所望間隔を置いて黄色半透明樹脂プレート手段を配置するようにした請求項１記載の内照式広告表示装置。
【請求項３】
前記黄色半透明樹脂プレート手段を、乳白色半透明樹脂プレートの前面側に黄色透明フィルムを貼着して構成した請求項１及び２記載の内照式広告表示装置。
【請求項４】
前記黄色半透明樹脂プレート手段を、黄色半透明樹脂プレートにより構成した請求項１及び２記載の内照式広告表示装置。
【請求項５】
前記黄色透明樹脂プレート手段の前面に、膨出部を除いて遮光する有色塗装の非透明表面板を設けた請求項１乃至４のうちのいずれか１項に記載の内照式広告表示装置。
【請求項６】
内照式広告表示装置用表示プレートを製造する方法において、
黄色透明樹脂プレートに対して所望の宣伝文字、ロゴ、又はイラストの膨出部を真空成形加工する成形加工ステップと、
前記黄色透明樹脂プレートの裏側に所望間隔を置いて黄色半透明樹脂プレート手段を配置し、前記黄色透明樹脂プレートの少なくともその膨出部裏面に銀による半透明ハーフミラーを蒸着する銀蒸着加工ステップと、
前記銀蒸着加工した前記黄色透明樹脂プレートの複数個の所定位置にスタッドボルト取付用の穴をあけ、またこの黄色透明樹脂プレートを所定の大きさの形状にトリミングする第１穴あけ及びトリミング加工ステップと、
黄色半透明樹脂プレート又は黄色透明フィルムを貼着する乳白色半透明樹脂プレートで構成した黄色半透明樹脂プレート手段の複数個の所定位置にスタッドボルト取付用の穴をあけ、また所定の大きさの形状にトリミングする第２穴あけ及びトリミング加工ステップと、
表面板としての非透明プレートを前記黄色透明樹脂プレートの膨出部形状に対応する部分を切り抜くとともに所定の大きさの形状にトリミングする形状抜き及びトリミング加工ステップと、
形状抜き及びトリミング加工した前記表面板の裏面にスタッドボルトを取り付けるスタッドボルト取付ステップと、
裏面にスタッドボルトを取り付けた表面板の表面に所定の色を塗装する表面塗装ステップと、
前記表面板の裏面のスタッドボルトを、前記銀蒸着加工した黄色透明樹脂プレート手段のスタッドボルト取付用の穴、及び黄色半透明樹脂プレート手段のスタッドボルト取付用の穴に挿通してナット止めする組み付けステップとよりなることを特徴とする内照式広告表示装置用表示プレートの製造方法。
【発明の詳細な説明】
【技術分野】
【０００１】
本発明は、内照式広告表示装置及び広告表示装置用表示プレートの製造方法に関するものである。
【背景技術】
【０００２】
従来、一般的には、乳白色樹脂プレートに着色を施した平面的な広告表示を内側のバックライトによって照明する内照式広告表示装置がある。また、透明樹脂表示板に文字、イラスト等の広告表示の輪郭を膨出し、膨出部の裏面又は透明樹脂表示板の裏面全体に透過性カラーシートを貼着した広告表示プレートをバックライトで電照する内照式広告表示装置がある（例えば、特許文献１参照）。
【特許文献１】特開平１１‐３８９１１号公報
【発明の開示】
【発明が解決しようとする課題】
【０００３】
しかし、従来の内照式広告表示装置では、黄及び／又は橙色と白黒の陰影とで擬似的にゴールド（金色）に見せかけているものがあった（例えば、「ＵＦＪ銀行」の金環ロゴマーク）が、実際のゴールド（金色）を発現する内照式広告表示装置は存在しなかった。
【０００４】
本発明は、ゴールド（金色）が広告表示、特にロゴ表示として極めて高い訴求効果を有することに着目し、従って、本発明の目的は、ゴールド（金色）を発現する内照式広告表示装置及び内照式広告表示装置用表示プレートの製造方法を得るにある。
【課題を解決するための手段】
【０００５】
この目的を達成するため、本発明内照式広告表示装置は、
所望の宣伝文字、ロゴ、又はイラストの膨出部を真空成形加工した黄色透明樹脂プレートにより構成し、少なくとも膨出部裏面に銀による半透明ハーフミラーを蒸着した黄色透明樹脂プレート手段と、
前記黄色透明樹脂プレートの裏側に所望間隔を置いて配置する黄色半透明樹脂プレート手段と、
この黄色半透明樹脂プレート手段の裏側に配置するバックライト手段と、
これら黄色透明樹脂プレート手段、黄色半透明樹脂プレート手段、及びバックライト手段を組み込むフレームを有し、前面を除いて遮光する遮光フレーム手段と
を具えたことを特徴とする。
【０００６】
また、本発明は、内照式広告表示装置用表示プレートを製造する方法において、
黄色透明樹脂プレートに対して所望の宣伝文字、ロゴ、又はイラストの膨出部を真空成形加工する成形加工ステップと、
前記黄色透明樹脂プレートの裏側に所望間隔を置いて黄色半透明樹脂プレート手段を配置し、前記黄色透明樹脂プレートの少なくともその膨出部裏面に銀による半透明ハーフミラーを蒸着する銀蒸着加工ステップと、
前記銀蒸着加工した前記黄色透明樹脂プレートの複数個の所定位置にスタッドボルト取付用の穴をあけ、またこの黄色透明樹脂プレートを所定の大きさの形状にトリミングする第１穴あけ及びトリミング加工ステップと、
黄色半透明樹脂プレート又は黄色透明フィルムを貼着する乳白色半透明樹脂プレートで構成した黄色半透明樹脂プレート手段の複数個の所定位置にスタッドボルト取付用の穴をあけ、また所定の大きさの形状にトリミングする第２穴あけ及びトリミング加工ステップと、
表面板としての非透明プレートを前記黄色透明樹脂プレートの膨出部形状に対応する部分を切り抜くとともに所定の大きさの形状にトリミングする形状抜き及びトリミング加工ステップと、
形状抜き及びトリミング加工した前記表面板の裏面にスタッドボルトを取り付けるスタッドボルト取付ステップと、
裏面にスタッドボルトを取り付けた表面板の表面に所定の色を塗装する表面塗装ステップと、
前記表面板の裏面のスタッドボルトを、前記銀蒸着加工した黄色透明樹脂プレート手段のスタッドボルト取付用の穴、及び黄色半透明樹脂プレート手段のスタッドボルト取付用の穴に挿通してナット止めする組み付けステップとよりなることを特徴とする。
【発明の効果】
【０００７】
本発明によれば、バックライト手段の光が黄色半透明樹脂プレート手段を透過し、黄色透明樹脂プレートの少なくとも真空成形加工した宣伝文字、ロゴ、又はイラストの膨出部裏面に蒸着した銀のハーフミラーコーティングを経て前方に透過するとき、ゴージャスなゴールド（金色）となって視覚に捉えられる。
【発明を実施するための最良の形態】
【０００８】
本発明内照式広告表示装置の好適な実施例においては、前記黄色半透明樹脂プレート手段を、乳白色半透明樹脂プレートの表側面に黄色透明フィルムを貼着して構成するか、又は黄色半透明樹脂プレート単独で構成する。
【０００９】
更に、本発明内照式広告表示装置の好適な実施例においては、黄色透明樹脂プレート手段の前面に、膨出部を除いて遮光する有色塗装非透明表面板を設ける。この有色塗装は、例えば、ゴールド（金色）を際立たせるブラック（黒色）とする。有色塗装非透明表面板は、本実施例のブラック（黒色）に限定されることなく、ゴールド（金色）を際立たせ、マッチングする色彩であれば、どのような色彩でも構わない。
【００１０】
次に、図面につき、本発明の好適な実施例を説明する。
【実施例１】
【００１１】
図１は、本発明内照式広告表示装置１０（図２参照）に使用する表示プレート１１の構成部材及びバックライト手段９の配置関係を示す分解側面図である。この表示プレート１１は、黄色透明樹脂プレート手段１として、所望の宣伝文字、ロゴ、又はイラストの膨出部３を真空成形加工した黄色透明樹脂プレート２を使用する。更に、黄色透明樹脂プレート手段１は、黄色透明樹脂プレート２の少なくとも膨出部３の裏面に、図示の実施例では膨出部３を含めて黄色透明樹脂プレート２の裏面全体に銀による半透明ハーフミラー４を蒸着して構成する。
【００１２】
この蒸着に際し、半透明ハーフミラー４の裏側に所望間隔を置いて黄色半透明樹脂プレート手段５を構成する黄色透明フィルム７を配置する必要がある。この間隙の形成手段としては、本実施例では、図１に図示するように、後記する非透明表面板８に突設したボルト１７を前記黄色透明樹脂プレート手段１を構成する前記黄色透明樹脂プレート２と半透明ハーフミラー４及び黄色半透明樹脂プレート手段５を構成する前記黄色透明フィルム７と乳白色半透明樹脂プレート６を貫通せしめ、前記半透明ハーフミラー４と黄色透明フィルム７との間にワッシャ１８を締め付けて、前記半透明ハーフミラー４と黄色透明フィルム７との間に所望の間隙を形成したことを特徴とする。このように、半透明ハーフミラー４と黄色透明フィルム７との間隙を形成したのは、半透明ハーフミラー４と黄色透明フィルム７との間隙を形成しないと、バックライト手段９の熱によって、黄色透明樹脂プレート２に適宜な蒸着温度以上が加熱され、黄色透明樹脂プレート２に銀による蒸着がうまく行なわれないからである。従って、この間隙の形成は本実施例に限定されるものではなく、例えば、半透明ハーフミラー４と黄色透明フィルム７との間にスペーサー等を介在させ、両者を粘着するようにしても良い。要するに、適宜な蒸着温度の維持のために、半透明ハーフミラー４と黄色透明フィルム７間に間隙を形成したものである。なお、図示例では、前記したように、非透明表面板８のボルト１７が黄色透明フィルム７と乳白色半透明樹脂プレート６の両板を貫通し、ナット１９によって黄色透明樹脂プレ−ト手段１と黄色半透明樹脂プレート手段５とを一体的に結合させている。
【００１３】
黄色透明樹脂プレート手段１の裏側には黄色半透明樹脂プレート手段５を配置する。図１の実施例では、この黄色半透明樹脂プレート手段５は乳白色半透明樹脂プレート６の前面側に黄色透明フィルム７を貼着して構成する。黄色半透明樹脂プレート手段５は、図示しない黄色半透明樹脂プレート単独で構成することもできる。
【００１４】
図２に、本発明の好適な実施例の内照式広告表示装置１０を示す。内照式広告表示装置１０は、上述した表示プレート１１と、表示プレート１１の黄色半透明樹脂プレート手段５の裏側に配置したバックライト手段９と、これら黄色透明樹脂プレート手段１、黄色半透明樹脂プレート手段５、及びバックライト手段９を組み込むフレーム１２を有し、前面を除いて遮光する遮光フレーム手段１３とにより構成する。バックライト手段９としては蛍光灯を使用することができる。
【００１５】
内照式広告表示装置１０のための表示プレート１１の構成部材を製造する段階を図３〜図５に示す。
【００１６】
図３は、黄色透明樹脂プレート手段１の製造段階を示す。図３の（ａ）に示す黄色透明樹脂プレート２に対して、図３の（ｂ）に示すように、所望の宣伝文字、ロゴ、又はイラスト（図３ではロゴ）の膨出部を真空成形加工する（成形加工ステップ）。次に、図３の（ｃ）に示すように、黄色透明樹脂プレート２の少なくとも膨出部裏面（図３の実施例では黄色透明樹脂プレートの裏面全体）に、銀による半透明ハーフミラー４を蒸着する（銀蒸着加工ステップ）。この蒸着方法として、半透明ハーフミラー４の裏側に所望間隔を置いて黄色半透明樹脂プレート手段５を構成する黄色透明フィルム７を配置し、この間隙の形成手段としては、本実施例では、図１に図示するように、後記する非透明表面板８に突設したボルト１７を前記黄色透明樹脂プレート手段１を構成する前記黄色透明樹脂プレート２と半透明ハーフミラー４及び黄色半透明樹脂プレート手段５を構成する前記黄色透明フィルム７と乳白色半透明樹脂プレート６を貫通せしめ、前記半透明ハーフミラー４と黄色透明フィルム７との間にワッシャ１８を締め付けて、前記半透明ハーフミラー４と黄色透明フィルム７との間に所望の間隙を形成するようにしたものである。前記半透明ハーフミラー４と黄色透明フィルム７との間に所望の間隙を形成したのは、バックライト手段９の加熱等によって適宜な蒸着温度を超えて半透明ハーフミラー４の裏側に黄色半透明樹脂プレート手段５を構成する黄色透明フィルム７が剥離し、銀蒸着が行われない虞があるからである。その他の間隙形成手段として、例えば、前記半透明ハーフミラー４と黄色透明フィルム７との間にスペーサー等を介在し、黄色透明樹脂プレート手段１と黄色半透明樹脂プレート手段５とを粘着するようにしても良い。この後、銀蒸着加工した黄色透明樹脂プレート手段１の複数個の所定位置にスタッドボルト取付用の穴１４Ａをあけ、また、この黄色透明樹脂プレート手段１を所定の大きさの形状にトリミングする（第１穴あけ及びトリミング加工ステップ）。
【００１７】
図４は、黄色半透明樹脂プレート手段５の製造段階を示す。図４の実施例では、黄色半透明樹脂プレート手段５を、図４の（ａ）に示す乳白色半透明樹脂プレート６の前面側に、図４の（ｂ）に示すように、黄色透明フィルム７を貼着することにより構成する。この後、黄色半透明樹脂プレート手段５の複数個の所定位置にスタッドボルト取付用の穴１４Ｂをあけ、また所定の大きさの形状にトリミングする（第２穴あけ及びトリミング加工ステップ）。黄色半透明樹脂プレート手段５は、上述したように、乳白色半透明樹脂プレート６の代わりに、黄色半透明樹脂プレート単体で構成することもできる。
【００１８】
図５は、表示を際立たせる非透明プレートである表面板８の製造段階を示す。この表面板８は、例えば、アルミニウムプレートを使用し、図５の（ａ）に示すように、黄色透明樹脂プレート２の膨出部３に対応する形状抜き部分１５を打ち抜く又は切り抜くとともに、所定の大きさの形状にトリミングする（形状抜き及びトリミング加工ステップ）。次に、形状抜き及びトリミング加工した表面板８の裏面にスタッドボルト１６を取り付ける（スタッドボルト取付ステップ）。スタッドボルト１６と、スタッドボルト取付用の穴１４Ａ、１４Ｂは互いに整合するよう設ける。この後、裏面にスタッドボルトを取り付けた表面板８の表面に所定の色、例えば、ブラック（黒色）塗装する（表面塗装ステップ）。
【００１９】
図６は、表示プレート１１を組み立てる状況を示す説明図である。表面板１５の裏面のスタッドボルト１６を、銀蒸着加工した黄色透明樹脂プレート手段１のスタッドボルト取付用の穴１４Ａ、及び黄色半透明樹脂プレート手段５のスタッドボルト取付用の穴１４Ｂに挿通してナット止めする（組み付けステップ）。
【００２０】
上述したところは、ロゴマークで説明したが、宣伝文字又はイラストとすることもできることは勿論である。
【産業上の利用可能性】
【００２１】
本発明内照式広告表示装置は、広告業界又は看板製作業界で使用することができ、運用上、内部のバックライトを点灯しなくても、外光だけでもゴールド（金色）が発現し、ゴージャスなイメージを演出し、消費者の商品に対する訴求効果が極めて高く、購買を促進する。
【図面の簡単な説明】
【００２２】
【図１】本発明内照式広告表示装置の表示プレートの構成部材及びバックライト手段の配置関係を示す分解側面図である。
【図２】本発明の好適な実施例の内照式広告表示装置の分解斜視図である。
【図３】黄色透明樹脂プレート手段の製造段階を示す説明図である。
【図４】黄色半透明樹脂プレート手段の製造段階を示す説明図である。
【図５】表示を際立たせる非透明プレートである表面板１５の製造段階を示す説明図である。
【図６】表示プレートを組み立てる状況を示す説明図である。
【符号の説明】
【００２３】
１  黄色透明樹脂プレート手段
２  黄色透明樹脂プレート
３  膨出部
４  半透明ハーフミラー
５  黄色半透明樹脂プレート手段
６  乳白色半透明樹脂プレート
７  黄色透明フィルム
８  表面板（非透明プレート）
９  バックライト手段
１０  内照式広告表示装置
１１  表示プレート
１２  フレーム
１３  遮光フレーム手段
１４  スタッドボルト取付用の穴
１５  表面板
１６  スタッドボルト
１７  ボルト
１８  ワッシャ
１９  ナット
【図１】
2005189457.tif 000003
【図２】
2005189457.tif 000004
【図３】
2005189457.tif 000005
【図４】
2005189457.tif 000006
【図５】
2005189457.tif 000007
【図６】
2005189457.tif 000008